(57)【要約】【課題】洗浄槽内に外気を吸入する吸気ファン又は吸気口及び洗浄槽内の空気を排出する排気ファンを設けることにより、洗浄槽内の空気の排気を行い、洗浄槽内の湿度の低下を早め又食器の温度低下を抑え食器の乾燥を促進することができる食器洗浄乾燥機を提供する。【解決手段】食器かご３が収容される洗浄槽２と、洗浄槽２の前部天井付近に取着された排気筒１４とを備えており、排気筒１４内に排気モータにより駆動される排気ファン２４を取着し、洗浄槽２の後部底付近には複数の吸気口２６ａ、２６ａ、・・・を設け、洗浄槽２内の空気の湿度が低下するようにした。【選択図】図２
2007229156.tif 000002
【特許請求の範囲】
【請求項１】
洗浄槽と、該洗浄槽内の空気が排出される排気口とを備える食器洗浄乾燥機において、前記排気口近傍に排気ファンを備えることを特徴とする食器洗浄乾燥機。
【請求項２】
洗浄槽を囲む筐体と、前記洗浄槽内の空気が排出される排気口とを備える食器洗浄乾燥機において、前記排気口近傍に設けられている排気ファンと、前記洗浄槽内の空気が排気される排気ダクトと、前記筐体外の空気が通気される外気ダクトとを備え、前記排気ダクト及び外気ダクトは前記筐体と前記洗浄槽との間に並設され、前記排気口を出口とするように構成されていることを特徴とする食器洗浄乾燥機。
【請求項３】
前記洗浄槽外の空気を吸入する吸気口と、該吸気口近傍に設けられている吸気ファンとを備え、前記吸気ファン及び前記排気ファンを連動して駆動させるように構成してあることを特徴とする請求項１又は２に記載の食器洗浄乾燥機。
【請求項４】
前記洗浄槽外の空気を吸入する吸気口と、該吸気口近傍に設けられている吸気ファンと、外気温を測定するセンサとを備え、該センサにより測定された外気温に応じて前記吸気ファン又は前記排気ファンを駆動させるように構成してあることを特徴とする請求項１又は２に記載の食器洗浄乾燥機。
【請求項５】
洗浄槽と、該洗浄槽内の空気を排出する排気口と、該排気口近傍に設けられている排気ファンとを備え、食器を洗う洗浄工程と、食器をすすぐすすぎ工程と、食器を乾燥する乾燥工程とを順次実行する食器洗浄乾燥機において、乾燥工程より前に前記排気ファンを駆動させるように構成してあることを特徴とする食器洗浄乾燥機。
【請求項６】
洗浄槽と、該洗浄槽内の空気を排出する排気口と、該排気口近傍に設けられている排気ファンと、前記洗浄槽外の空気が吸入される吸気口と、該吸気口近傍に設けられている吸気ファンと、前記洗浄槽に設けられているヒータとを備え、食器を乾燥する乾燥工程を含む運転を行う食器洗浄乾燥機において、前記食器を乾燥する乾燥工程にて前記ヒータの作動及び前記吸気ファンの駆動を停止させ前記排気ファンを駆動させるように構成してあることを特徴とする食器洗浄乾燥機。
【請求項７】
洗浄槽と、該洗浄槽外の空気を吸入する複数の吸気口とを備えることを特徴とする食器洗浄乾燥機。
【請求項８】
洗浄槽と、該洗浄槽外の空気を吸入する吸気スリットとを備えることを特徴とする食器洗浄乾燥機。
【発明の詳細な説明】
【技術分野】
【０００１】
本発明は、安全性を高めた乾燥を行う食器洗浄乾燥機に関する。
【背景技術】
【０００２】
従来の食器洗浄乾燥機にあっては、洗浄、すすぎ後の乾燥工程において、ヒータ加熱により発生した湯気又は蒸気によって高温多湿となった洗浄槽内部の空気を筐体と洗浄槽の間に設けた熱交換ファンに吸入させ、熱交換ファンのブレ―ド部分で洗浄槽外部の空気により、高温多湿な空気を冷却・除湿させ、循環経路を通って洗浄槽内部に戻すというものがある（例えば特許文献１参照）。また、洗浄、すすぎ後の乾燥工程において、吸気ファンを駆動させ外気を洗浄槽に吸入し洗浄槽内部の空気を排気口から排出するものがある（例えば特許文献２参照）。このようにして洗浄槽内部の空気の除湿乾燥を進行させることで食器の乾燥を行うことができる。
【特許文献１】特開平４−１２２３５０号公報
【特許文献２】特開２００５−０６５９３９号公報
【発明の開示】
【発明が解決しようとする課題】
【０００３】
特許文献１に記載の食器洗浄乾燥機においては、筐体外部の空気（以下外気という）と洗浄槽内部の空気の間に熱交換ファンのブレード部分を介在させて該洗浄槽内部に外気を吸入することなく、熱交換ファンを用いて前記洗浄槽内部の空気を循環させ、乾燥工程において洗浄槽内部空気の除湿及び食器乾燥をさせているが、外気を洗浄槽内部に吸入する構成に比べて複雑な構成となり製造コストがかさむ。また、乾燥した前記洗浄槽内の空気の流れが一定の領域に集中していることから、該領域から離れた場所に位置する食器には乾燥した空気が当たらず、食器の乾燥を均一に行うことは難しい。更に、乾燥工程においてはヒータにより前記洗浄槽内部の空気を加熱することから、多くの電力を消費していた。
【０００４】
また、特許文献２記載の食器洗浄乾燥機においては、乾燥工程中に吸気ファンにより洗浄槽内部に外気を吸入しているが、洗浄槽内部の気圧が上がり、排気口からだけでなく、洗浄槽のつなぎ目又は扉の封水部からも高温の湯気又は蒸気が漏れ、従って設計・組み立てに高精度が要求され、製造コストがかさむ。また、排気口から排出される湯気又は蒸気は高温であり、利用者に火傷をさせる虞がある。
【０００５】
また従来においては、外気は一箇所から洗浄槽内部に吸入され、吸入口付近にある食器には洗浄槽内部の空気に比べて低温の空気が集中して当たり、冷却されやすく乾燥しにくい。また、排気口には排気カバーが設けられることがある。その場合排気カバーの通気孔を洗浄槽内部の高温多湿な空気が通る際には水滴が発生しやすく、排気カバー及び排気口付近に前記水滴が付着し排気の通流を妨げることがあり、また付着した水滴が食器に落下することにより乾燥効率が下がる場合がある。
【０００６】
本発明はかかる事情を鑑みてなされたものであり、排気ファンを設けることにより、洗浄槽内の高温の湯気又は蒸気を洗浄槽内から洗浄槽外へ拡散排気し、拡散しない場合に比べての排気温度を低減して火傷の危険性を軽減し、また、前記洗浄槽内に空気の流れを作り排気の通流を促進し、食器の乾燥効率の低下を防ぐことができる食器洗浄乾燥機を提供することを目的とする。
【０００７】
また、洗浄槽内の空気を排気する排気ダクト及び筐体外の空気を通気させる外気ダクトを、両ダクトの出口が近い位置になるように設けることにより、洗浄槽内の湯気又は蒸気を外気と混合させて筐体から排気し、混合させない場合に比べて排気温度を低減させ、また高温の湯気又は蒸気による火傷の虞を軽減させる食器洗浄乾燥機を提供することを目的とする。
【０００８】
また、吸気ファン及び排気ファンを連動して駆動させるように構成することにより、前記洗浄槽内の空気を滞らせることなく排気し、前記洗浄槽内の湯気又は蒸気を効率よく排出できる食器洗浄乾燥機を提供することを目的とする。
【０００９】
更に、外気温に応じて吸気ファン及び排気ファンを同時に作動させる時間を調整するように構成することにより、前記吸気ファン及び排気ファンを同時に動かす時間を短くし洗浄槽内部の高温空気の排気を抑制して、加熱された食器の温度低下を軽減し乾燥効率を下げないことができる食器洗浄乾燥機を提供することを目的とする。
【００１０】
また、乾燥工程より前に排気ファンを駆動させるように構成することにより、乾燥工程より前の工程で洗浄槽内の高温の湯気又は蒸気の排気を行い、前記洗浄槽内の空気の温度の上昇を抑え、乾燥工程において排気される高温の湯気又は蒸気による火傷の危険性を低減し、また、前記洗浄槽内の湿度を低減し、排気カバー及び排気口周辺への水滴の付着を抑え、食器への前記水滴の落下を防ぎ前記食器の乾燥効率の低下を防止することができる食器洗浄乾燥機を提供することを目的とする。
【００１１】
また、乾燥工程においてヒータの作動及び吸気ファンの駆動を停止させ排気ファンを駆動させるように構成してあることにより、乾燥工程においてヒータの作動及び吸気ファンの駆動を停止させ排気ファンを駆動させて、前記ヒータ及び吸気ファンを用いる場合に比べて電力消費を抑制する食器洗浄乾燥機を提供することを目的とし、更に排気ファンを洗浄槽上部に設けた場合は、前記洗浄槽底部付近から前記洗浄槽上部付近への前記洗浄槽内部の空気の対流を促進し、食器の乾燥効率の低下を抑える食器洗浄乾燥機を提供することを目的とする。
【００１２】
また、複数の吸気口を洗浄槽に設けることにより、外気を分散して吸入し、吸気口付近にある食器に外気が強く当たることを防ぎ、加熱された食器の温度低下を抑え、外気が強く当たらない位置に食器がある場合と比較しての乾燥性能の低下を抑えられる食器洗浄乾燥機を提供することを目的とする。
【００１３】
更に、吸気スリットを洗浄槽に設けることにより、前記洗浄槽にほぼ偏りなく外気を取り込み、前記洗浄槽内の湿度の低下を早め、食器の乾燥を促進し、また局所的に食器に外気が当たることによる食器温度の低下を抑え、実質的に偏りなく食器を乾燥させることができる食器洗浄乾燥機を提供することを目的とし、また前記洗浄槽の間隙構造を前記吸気スリットにすることにより、吸気口を別途設ける必要のない食器洗浄乾燥機を提供することを目的とする。
【課題を解決するための手段】
【００１４】
本発明に係る食器洗浄乾燥機は、洗浄槽と、該洗浄槽内の空気が排出される排気口とを備える食器洗浄乾燥機において、前記排気口近傍に排気ファンを備えることを特徴とする。
【００１５】
本発明においては、前記洗浄槽内の高温の湯気又は蒸気を前記排気ファンを駆動させることにより前記洗浄槽内から前記洗浄槽外へ拡散排気し、排気に含まれる高温の湯気又は蒸気の密度を低くする。更に、前記排気ファンを駆動させることにより前記洗浄槽内の空気の流れを作り、水滴の集合を抑制する。
【００１６】
また本発明に係る食器洗浄乾燥機は、洗浄槽を囲む筐体と、前記洗浄槽内の空気が排出される排気口とを備える食器洗浄乾燥機において、前記排気口近傍に設けられている排気ファンと、前記洗浄槽内の空気が排気される排気ダクトと、前記筐体外の空気が通気される外気ダクトとを備え、前記排気ダクト及び外気ダクトは前記筐体と前記洗浄槽との間に並設され、前記排気口を出口とするように構成されていることを特徴とする。
【００１７】
本発明においては、前記排気ダクト及び外気ダクトを筐体と洗浄槽との間に並設し、排気口を前記排気ダクト及び外気ダクトの出口とすることにより、前記洗浄槽内の湯気又は蒸気を外気と混合させて前記筐体から排気し、排気に含まれる高温の湯気又は蒸気の密度を低くする。
【００１８】
また、本発明に係る食器洗浄乾燥機は、前記洗浄槽外の空気を吸入する吸気口と、該吸気口近傍に設けられている吸気ファンとを備え、前記吸気ファン及び前記排気ファンを連動して駆動させるように構成してあることを特徴とする。
【００１９】
本発明においては、前記吸気ファン及び前記排気ファンを連動して駆動させることにより、前記吸気ファン付近から前記排気ファン付近へ空気の流れを作り前記洗浄槽内の空気を滞りなく排気する。
【００２０】
また、本発明に係る食器洗浄乾燥機は、前記洗浄槽外の空気を吸入する吸気口と、該吸気口近傍に設けられている吸気ファンと、外気温を測定するセンサとを備え、該センサにより測定された外気温に応じて前記吸気ファン又は前記排気ファンを駆動させるように構成してあることを特徴とする。
【００２１】
本発明においては、外気の温度が低い場合に例えば、前記洗浄槽内が高温状態にある乾燥初期においては前記吸気ファン及び排気ファンを同時に駆動させる時間を短くする、又は前記吸気ファン及び排気ファンが相対的に高回転数となる時間を短くすることで外気の温度に応じて吸気ファン及び排気ファンの駆動を調整することにより、前記洗浄槽内の温度の低下を抑制し、すすぎ工程中に加熱された食器の温度低下を軽減する。
【００２２】
また、本発明に係る食器洗浄乾燥機は、洗浄槽と、該洗浄槽内の空気を排出する排気口と、該排気口近傍に設けられている排気ファンを備え、食器を洗う洗浄工程と、食器をすすぐすすぎ工程と、食器を乾燥する乾燥工程とを順次実行する食器洗浄乾燥機において、乾燥工程より前に前記排気ファンを駆動させるように構成してあることを特徴とする。
【００２３】
本発明においては、乾燥工程より前に前記排気ファンを駆動させることにより、前記乾燥工程に移る前に前記洗浄槽内の空気を排出して前記洗浄槽内の温度を低減し、乾燥工程で排気する湯気又は蒸気の温度を低減し、また、前記排気ファンを駆動させることにより、前記洗浄槽内の湿度を低減し、前記排気口近傍での水滴の集合を抑制する。
【００２４】
また、本発明に係る食器洗浄乾燥機は、洗浄槽と、該洗浄槽内の空気を排出する排気口と、該排気口近傍に設けられている排気ファンと、前記洗浄槽外の空気が吸入される吸気口と、該吸気口近傍に設けられている吸気ファンと、前記洗浄槽に設けられているヒータとを備え、食器を乾燥する乾燥工程を含む運転を行う食器洗浄乾燥機において、前記食器を乾燥する乾燥工程にて前記ヒータの作動及び前記吸気ファンの駆動を停止させ前記排気ファンを駆動させるように構成してあることを特徴とする。
【００２５】
本発明においては、乾燥工程にて前記排気ファンを駆動させ、前記ヒータの作動及び吸気ファンの駆動を停止することにより、電力消費を抑制し、更に前記洗浄槽上部に前記排気ファンを設けることにより、前記洗浄槽の底部付近から前記排気ファンへの対流を促進する。
【００２６】
また、本発明に係る食器洗浄乾燥機は、洗浄槽と、該洗浄槽外の空気を吸入する複数の吸気口とを備えることを特徴とする。
【００２７】
本発明においては、乾燥工程にて複数の吸気口から外気を分散して吸入することにより、吸気口付近にある食器に外気が強く当たることを防ぐことができる。
【００２８】
また、本発明に係る食器洗浄乾燥機は、洗浄槽と、該洗浄槽外の空気を吸入する吸気スリットとを備えることを特徴とする。
【００２９】
本発明においては、洗浄槽に吸気スリットを設け吸気スリットから外気を取り込むことにより、前記洗浄槽内の空気を実質的に偏りなく押し上げ、滞留させずに前記排気口から排気させ、また局所的に食器に外気が当たることを抑える。
【発明の効果】
【００３０】
本発明に係る食器洗浄乾燥機においては、洗浄槽内の高温の湯気又は蒸気を排気ファンの回転により洗浄槽内から洗浄槽外へ拡散排気し、排気に含まれる高温の湯気又は蒸気の密度を拡散しない場合に比べて低くし、排気温度の低減を図ることで火傷の危険性を軽減することができる。また、排気ファンが前記洗浄槽内の空気の流れを作り、水滴の集合を抑制することにより排気カバー及び排気口周辺への水滴の付着を抑え排気の通流を促進し、また水滴の食器への落下を防止し食器の乾燥効率の低下を抑制することができる。
【００３１】
また、本発明においては前記排気ダクト及び外気ダクトを設け、排気口を前記排気ダクト及び外気ダクトの出口とすることにより、該出口付近で洗浄槽内の湯気又は蒸気を外気と混合させて筐体から排気し、排気に含まれる高温の湯気又は蒸気の密度を混合させない場合に比べて低くして、排気温度を低下させ、高温の湯気又は蒸気による火傷の虞を軽減することができる。
【００３２】
また、本発明においては前記吸気ファン及び排気ファンを連動して駆動させることにより、前記吸気ファン付近から前記排気ファン付近へ滞りのない空気の流れを前記洗浄槽内に作り、前記洗浄槽内の湯気又は蒸気を効率よく排出し、前記洗浄槽内の湿度の低減を早め食器の乾燥を促進することができる。
【００３３】
更に、本発明においては外気の温度が低い場合に例えば、前記洗浄槽内が高温状態にある乾燥初期においては前記吸気ファン及び排気ファンを同時に駆動させる時間を短くする、又は前記吸気ファン及び排気ファンが相対的に高回転数である時間を短くすることにより、前記洗浄槽内部の高温空気の排気を抑え、すすぎ工程中に加熱された食器の温度低下を軽減し、乾燥効率の低下を抑制する。
【００３４】
更に、本発明においては前記乾燥工程の前に前記排気ファンを駆動させることにより、前記洗浄槽内の空気を排気し、乾燥工程に移る前に前記洗浄槽内の空気の温度を低減し、乾燥工程で排気する際の湯気又は蒸気による火傷の危険性を低減させる。
【００３５】
また、本発明においては乾燥工程において前記ヒータの作動及び吸気ファンの駆動を停止し前記排気ファンを駆動させることにより、前記ヒータを作動及び吸気ファンを駆動する場合に比べて電力消費を抑制し、更に前記洗浄槽上部に前記排気ファンが設けられている場合には前記排気ファンの駆動により前記洗浄槽の底部付近から前記排気ファンへの空気の対流を促進し外気を食器に当てることで、前記ヒータの作動及び前記吸気ファンの駆動をさせる場合と比べての食器の乾燥効率の低下を抑制することができる。
【００３６】
また、本発明においては乾燥工程にて複数の吸気口から外気を分散して吸入することにより、吸気口付近にある食器に外気が強く当たることを防ぎ、すすぎ工程で加熱された該食器の温度低下を抑え、外気が強く当たらない位置に食器がある場合と比較しての乾燥性能の低下を抑えることができる。
【００３７】
更に、本発明においては前記吸気スリットから外気が取り込まれることにより、前記洗浄槽内の空気は実質的に偏りなく押し上げられ、滞留せずに前記排気口から排気され、前記洗浄槽内の湿度の低下は早まり、食器の乾燥を促進することができ、また局所的に食器に外気が当たることによる食器の温度の低下を抑え、実質的に偏りなく食器を乾燥させることができる。また、洗浄槽の間隙構造を吸気スリットとすることで吸気口を別途設ける必要がなくなる。
【発明を実施するための最良の形態】
【００３８】
（実施の形態１）
以下、本発明を実施の形態１を示す図面に基づいて詳述する。図１は実施の形態１に係る食器洗浄乾燥機の要部構成を示す略示正面断面図、図２は略示側面断面図である。
【００３９】
図において、１は食器洗浄乾燥機の外装を成す筐体であり、洗浄槽２が筐体１の内部に設けられ、洗浄槽２の内部には食器１８が載せられる食器かご３が収容されている。また、洗浄槽２の底部付近には、洗浄及びすすぎを行う場合に水を加熱し、また、乾燥を行う場合に洗浄槽２内の空気を暖める渦巻形状のヒータ４が配設されている。筐体１と洗浄槽２の底部との間にはマイクロプロセッサを備える制御回路１２が配設されている。また、筐体１の正面上部には洗浄槽２に通じる排気筒１４が設けられており、排気筒１４の一方の口は筐体１の外部に向けて開口し、他方の口は洗浄槽２内部に向けて開口している。洗浄槽２内の前部天井付近側に設けられている排気筒１４の開口部周辺に、一部に通気孔を有する排気カバー１５が排気筒１４と対向させて支持されている。排気筒１４内には、排気モータ２５により駆動される排気ファン２４が取着されている。更に、洗浄槽２の後部底付近には複数の吸気口２６ａ、２６ａ、・・・が食器洗浄乾燥機の側面に略垂直な方向に並設されている。また、外気吸入口３０が筐体１背部上方に開設されている。
【００４０】
図２に記載されている矢印は複数の吸気口２６ａ、２６ａ、・・・から洗浄槽２に取り込まれる外気及び洗浄槽２内の空気の流れを示すものである。排気モータ２５により排気ファン２４が駆動されると、排気ファン２４付近の筐体１外側方向は正圧となり、空気が加圧され、押出される。そして押出された空気が筐体１の外に拡散排気され、排気ファン２４付近の筐体１内側方向は負圧となり、洗浄槽２の内部の空気が排気ファン２４の方向へ移動され、そして、外気吸入口３０から筐体１内に吸入された外気が、複数の吸気口２６ａ、２６ａ、・・・を経て、洗浄槽２内に移動し、洗浄槽２内に洗浄槽２の後部底付近から洗浄槽２の前部天井付近への対角線状の空気の流れが形成される。この流れにより、複数の吸気口２６ａ、２６ａ、・・・から吸気された外気は食器１８の表面に当たり、排気カバー１５の通気孔を通流し、排気ファン２４を通って、洗浄槽２内の空気と共に排気筒１４から食器洗浄乾燥機の外部に排気される。
【００４１】
食器洗浄乾燥機の作動工程として、食器を洗う洗浄工程、食器をすすぐすすぎ工程、加熱して食器をすすぐ加熱すすぎ工程及び食器を乾燥する乾燥工程が順次行われ、例えば、以下に示す工程にて排気ファン２４が駆動され洗浄槽２内の空気の排気が行われる。
【００４２】
図３は実施の形態１に係る食器洗浄乾燥機の食器の洗浄から乾燥に至る一連の動作についてのタイムチャートである。
【００４３】
洗浄工程、すすぎ工程、加熱すすぎ工程及び乾燥工程が順次行われる。加熱すすぎ工程にて、制御回路１２からヒータ４及び洗浄ポンプ７の駆動回路にオン信号が出力され、ヒータ４及び洗浄ポンプ７を作動させる。所定時間経過後、制御回路１２からヒータ４及び洗浄ポンプ７の駆動回路にオフ信号が出力されヒータ４及び洗浄ポンプ７の作動を停止させる。
【００４４】
加熱すすぎ工程終了後、乾燥工程に移る。乾燥工程にて、ヒータ４の作動を停止させて置く。乾燥工程開始時に制御回路１２から排気モータ２５の駆動回路にオン信号を出力し、排気ファン２４の駆動を開始させる。また、乾燥工程終了時に制御回路１２から排気モータ２５の駆動回路にオフ信号を出力し、排気ファン２４の駆動を停止させる。
【００４５】
乾燥工程にてヒータ４の作動を停止させて置き、排気ファン２４を駆動させることにより、ヒータ４を作動させる場合に比べて電力消費を抑制し、また、加熱すすぎ工程にてヒータ４を作動させたことにより洗浄槽２内に残っている余熱を利用し、食器の乾燥を行うことで、食器の乾燥効率の低下を抑制することができる。更に前記洗浄槽２上部に排気ファン２４が設けられている場合には排気ファン２４の駆動により洗浄槽２の底部付近から排気ファン２４への空気の対流を促進し外気を食器に当てることで、ヒータ４を作動させて食器の乾燥を行う場合と比べて、食器の乾燥効率の低下を抑制することができる。
【００４６】
また、加熱すすぎ工程におけるヒータ４の作動により高温となった洗浄槽２内の湯気又は蒸気を乾燥工程にて排気ファン２４用いて拡散排気することにより、排気に含まれる高温の湯気又は蒸気の密度を相対的に低くして排気温度の低減を図り、また、乾燥工程にてヒータ４の作動を停止させて置くことで排気温度の上昇を防ぎ、火傷の危険性を軽減することができる。
【００４７】
また、排気ファン２４の作動により前記洗浄槽２内の空気の流れが形成され、水滴の集合を抑制し、排気カバー１５及び排気筒１４周辺への水滴の付着を抑え排気の通流を促進し、また水滴の食器への落下を防止し食器の乾燥効率の低下を抑制することができる。複数の吸気口２６ａ、２６ａ、・・・から外気を吸入することにより、吸気口２６ａ、２６ａ、・・・の付近にある食器１８に局所的に強く外気が当たることを低減し、加熱すすぎ工程で加熱された食器１８の温度低下を抑え、外気が強く当たらない位置に食器がある場合と比較しての食器の乾燥効率の低下を抑制する。
【００４８】
（実施の形態２）
以下、本発明に係る実施の形態２について図面を用いて詳述する。図４は実施の形態２に係る食器洗浄乾燥機の要部構成を示す略示正面断面図、図５は略示側面断面図である。
【００４９】
図において、筐体１の上部内面と洗浄槽２の上部外面との間に、筐体１の上部内面及び洗浄槽２の上部外面と略並行となるように仕切り１４ｃを設け、仕切り１４ｃと洗浄槽２の上部外面との間に排気ダクト１４ａを配設し、仕切り１４ｃと筐体１の上部内面との間に外気ダクト１４ｂが配設されている。また、排気ダクト１４ａ及び外気ダクト１４ｂの出口が筐体１の正面方向に向けて開口しており、排気筒１４に連なっている。また、排気ダクト１４ａの入口が洗浄槽２の上部後方に開設され、洗浄槽２内と連なっており、排気ダクト１４ａの入口周辺に、一部に通気孔を有する排気カバー１５が、排気ダクト１４ａの入口と対向させて支持されている。また、外気ダクトの入口１４ｅが筐体１背部上方付近に開設され、外気ダクト１４ｂの内部であって外気ダクトの入口１４ｅ付近に外気吸込みモータ（図示せず）により駆動される外気吸込みファン１４ｄが取着されている。また、外気吸入口３０が筐体１背部上方に外気ダクトの入口１４ｅと対向させて開設されている。また、洗浄槽２は洗浄槽上部構造２ａ及び洗浄槽下部構造２ｂとから構成されており、洗浄槽２の後部底付近に洗浄槽上部構造２ａ及び洗浄槽下部構造２ｂとの間隙が設けられ、洗浄槽上部構造２ａ及び洗浄槽下部構造２ｂとの間隙構造部分が吸気スリット２６ｂとなっている。
【００５０】
図５に記載されている矢印は吸気スリット２６ｂから洗浄槽２内に取り込まれる外気及び洗浄槽２内の空気の流れを示すものである。外気吸込みモータ（図示せず）により外気吸込みファン１４ｄが駆動され、外気吸入口３０から外気ダクトの入口１４ｅを経て、外気ダクト１４ｂ内に外気が取り込まれる。外気吸込みファン１４ｄ付近の外気ダクトの入口１４ｅ側は負圧となり、外気吸入口３０から外気は取り込まれ、外気吸込みファン１４ｄ付近の排気筒１４側は正圧となり、取り込まれた外気は加圧され、外気ダクト１４ｂ内の通気を経て、排気筒１４方向へ押出される。また、加熱された洗浄槽２内の空気の圧力が外気に比べ高いことにより、又、外気吸込みファン１４ｄにより外気が勢いよく排出され、排気筒１４内部の排気ダクト１４ａの出口付近で負圧が発生し、排気ダクト１４ａ内の空気が排気筒１４へ引き出されることにより、洗浄槽２内の空気が排気ダクト１４ａ内を通流して排気される。押出された外気及び排気された洗浄槽２内の空気は排気筒１４において混合され、筐体１の外に排出される。そして、洗浄槽２内の空気は排気カバー１５方向へ推移し、また、広幅にわたる吸気スリット２６ｂから外気が洗浄槽２内に吸入され、洗浄槽２後部底付近から、洗浄槽２中央付近を経由して、洗浄槽２上部後方への空気の流れが形成される。この流れにより、吸気スリット２６ｂから吸入された外気は食器１８の表面に当たり、排気カバー１５が有する通気孔を通流し、排気ダクト１４ａ内を通流して、排気筒１４から洗浄槽２内の空気と共に筐体１の外に排出される。
【００５１】
食器洗浄乾燥機の作動工程として、食器を洗う洗浄工程、食器をすすぐすすぎ工程、加熱して食器をすすぐ加熱すすぎ工程及び食器を乾燥する乾燥工程が順次行われ、乾燥工程にて外気吸込みファン１４ｄが駆動され、洗浄槽２内の空気の排出が行われる。
【００５２】
排気ダクト１４ａ及び外気ダクト１４ｂの出口を近い位置に設けることにより、排気筒１４内で洗浄槽２内の湯気又は蒸気を外気と混合させて筐体１から排気し、排気に含まれる高温の湯気又は蒸気の密度を混合させない場合に比べて低くし、排気温度を低減させ、高温の湯気又は蒸気による火傷の虞を軽減することができる。また、洗浄槽２の広幅にわたる吸気スリット２６ｂから外気が取り込まれることにより、洗浄槽２内の空気を実質的に偏りなく押し上げて、滞留させることなく排気筒１４から排気し、洗浄槽２内の湿度の低下を早め、食器１８の乾燥を促進することができる。また局所的に食器１８に外気が当たることによる食器１８の温度の低下を抑え、実質的に偏りなく食器１８を乾燥させることができる。また、洗浄槽２の間隙構造を吸気スリット２６ｂとすることで吸気口を別途設ける必要がない。
【００５３】
実施の形態２に係る食器洗浄乾燥機の構成の内、実施の形態１と対応するものについては、同一の符号を付しその詳細な説明を省略する。
【００５４】
なお、洗浄槽２の間隙構造を吸気スリット２６ｂとする場合に限らず、スリット形の吸気ユニットを専用部品として洗浄槽２に取着するものであってもよい。また、排気ダクト１４ａ及び外気ダクト１４ｂは、筐体１の背部内面と洗浄槽２の後部外面との間に設けるものであってもよい。
【００５５】
（実施の形態３）
以下、本発明に係る実施の形態３について図面に基づいて詳述する。図６は実施の形態３に係る食器洗浄乾燥機の要部構成を示す略示側面断面図である。
【００５６】
筐体１背部の底付近には、吸気モータ２１ａにより駆動される吸気ファン２１が設けてあり、ケーシング２１ｂに覆われている。また、筐体１底部前方にファン吸気口２６ｃが開設されており、ファン吸気口２６ｃから外気を吸入する吸気路２８が洗浄槽２底部と筐体１底部との間に設けられ、吸気ファン２１に連なっている。また、吸気ファン２１付近に入口を開設している送風路２２が、吸気ファン２１の上方から筐体１背部内を経て、吸気路２８及び洗浄槽２底部との間を吸気路２８と略並行するように延設され、洗浄槽２内へ連なっている。送風路２２の出口に送風口２３が開設されており、ヒータ４付近に設けられている。また、筐体１背部上方には温度センサ２７が設けられている。また、筐体１の正面上部には洗浄槽２に通じる排気筒１４が設けられており、排気筒１４の一方の口は筐体１の外部に向けて開口し、他方の口は洗浄槽２内部に向けて開口している。洗浄槽２内の前部天井付近側に設けられている排気筒１４の開口部周辺に、一部に通気孔を有する排気カバー１５が排気筒１４と対向させて支持されている。排気筒１４内には、排気モータ２５により駆動される排気ファン２４が取着されている。
【００５７】
実施の形態３に係る食器洗浄乾燥機の構成の内、実施の形態１と対応する構成については、同一の符号を付しその詳細な説明を省略する。
【００５８】
図に記載されている矢印は吸入された外気及び洗浄槽２内の空気の流れを示すものである。吸気モータ２１ａにより吸気ファン２１が駆動され、ファン吸気口２６ｃから外気が取り込まれ、外気は吸気路２８を通気し、吸気ファン２１を経由して送風路２２を通り送風口２３から洗浄槽２内に送られる。そして、吸気ファン２１の駆動と連動して排気モータ２５により排気ファン２４が駆動される。排気ファン２４が駆動されると、排気ファン２４付近の筐体１外側方向は正圧となり、排気ファン２４付近の筐体１外側方向の空気が加圧され、押出される。そして、押出された空気が筐体１の外に拡散排気される。排気ファン２４付近の筐体１内側方向は負圧となり、洗浄槽２の内部の空気を排気ファン２４の方向へ推移させる。そして、送風口２３から洗浄槽２内に外気が送られ、洗浄槽２内に、洗浄槽２前部底付近から、洗浄槽２中央付近を経由して、洗浄槽２前部天井付近へ空気の流れが形成される。この流れにより、送風口２３から洗浄槽２内に送られた外気は、ヒータ４で加熱され、食器１８に当たり排気カバー１５が有する通気孔を通流し、排気ファン２４を経由して、洗浄槽２内の空気と共に排気筒１４から排気される。
【００５９】
食器洗浄乾燥機の作動工程として、食器を洗う洗浄工程、食器をすすぐすすぎ工程、加熱して食器をすすぐ加熱すすぎ工程及び食器を乾燥する乾燥工程が順次行われ、例えば以下に示す工程にて吸気ファン２１及び排気ファン２４が駆動され洗浄槽２内の空気の排気が行われる。
【００６０】
図７は実施の形態３に係る食器洗浄乾燥機の食器の洗浄から乾燥に至る一連の動作についてのタイムチャートである。
【００６１】
図において、洗浄工程、すすぎ工程、加熱すすぎ工程及び乾燥工程が順次行われる。乾燥工程にて制御回路１２から排気モータ２５の駆動回路にオン信号が出力され、排気ファン２４が駆動される。また、温度センサ２７から外気温を示す信号を制御回路１２に取り込み、取り込んだ信号に応じて、制御回路１２に設けてあるルックアップテーブル（図示せず）を参照し吸気モータ２１ａの駆動回路へオン又はオフ信号を出力するタイミングを決定し、制御回路１２に設けてあるレジスタ（図示せず）にタイミングの設定を行う。設定されたタイミングに従い吸気モータ２１ａの駆動回路に制御回路１２からオン又はオフ信号を出力し、吸気ファン２１を断続的に駆動させ、乾燥工程終了時にオフ信号を出力し、吸気ファン２１の駆動を停止させる。
【００６２】
外気の温度が低い（高い）場合に、洗浄槽２内が高温状態にある乾燥初期においては吸気ファン２１を駆動させる時間を短く（長く）することにより、洗浄槽２内部の高温空気の排気を抑え、すすぎ工程中に加熱された食器の温度低下を軽減し、乾燥効率の低下を抑制することができる。
【００６３】
また、吸気ファン２１及び排気ファン２４を連動して駆動させることにより、送風口２３付近から排気筒１４付近へ滞りのない空気の流れを洗浄槽２内に作り、洗浄槽２内の湯気又は蒸気を効率よく排出し、洗浄槽２内の湿度の低減を早め食器の乾燥を促進することができる。
【００６４】
なお、実施の形態３に係る食器洗浄乾燥機においては、乾燥初期にて外気の温度が低い（高い）ときには吸気ファン２１を駆動させる時間を短く（長く）する場合が記載されているが、乾燥初期にて外気の温度が低い（高い）ときには吸気ファン２１を低い（高い）速度で回転させるようにしてもよい。
【図面の簡単な説明】
【００６５】
【図１】本発明の食器洗浄乾燥機の実施の形態１に係る要部構成を示す略示正面断面図である。
【図２】本発明の食器洗浄乾燥機の実施の形態１に係る要部構成を示す略示側面断面図である。
【図３】本発明の食器洗浄乾燥機の実施の形態１に係る食器の洗浄から乾燥に至る一連の動作についてのタイムチャートである。
【図４】本発明の食器洗浄乾燥機の実施の形態２に係る要部構成を示す略示正面断面図である。
【図５】本発明の食器洗浄乾燥機の実施の形態２に係る要部構成を示す略示側面断面図である。
【図６】本発明の食器洗浄乾燥機の実施の形態３に係る要部構成を示す略示側面断面図である。
【図７】本発明の食器洗浄乾燥機の実施の形態３に係る食器の洗浄から乾燥に至る一連の動作についてのタイムチャートである。
【符号の説明】
【００６６】
１  筐体
２  洗浄槽
２ａ  洗浄槽上部構造
２ｂ  洗浄槽下部構造
４  ヒータ
１２  制御回路
１４  排気筒
１４ａ  排気ダクト
１４ｂ  外気ダクト
１５  排気カバー
１８  食器
２１  吸気ファン
２１ａ  吸気モータ
２１ｂ  ケーシング
２２  送風路
２３  送風口
２４  排気ファン
２５  排気モータ
２６ａ  吸気口
２６ｂ  吸気スリット
２６ｃ  ファン吸気口
２７  温度センサ
２８  吸気路
【図１】
2007229156.tif 000003
【図２】
2007229156.tif 000004
【図３】
2007229156.tif 000005
【図４】
2007229156.tif 000006
【図５】
2007229156.tif 000007
【図６】
2007229156.tif 000008
【図７】
2007229156.tif 000009